(57)【要約】【課題】  原稿を読み取って作成したディジタル画像を格納したファイルの活用を容易にする画像保存プログラム、画像保存装置及び画像保存方法を提供する。【解決手段】  本発明に係る画像保存プログラムは、原稿を読み取ってディジタル画像を作成する画像読み取り装置からディジタル画像を入力する画像入力手段と、前記画像入力手段から入力されたディジタル画像を外部記憶手段に記憶させる前に任意の時を表す時情報の入力を受け付ける時情報受付手段と、当該ディジタル画像と付属情報とをファイルに格納して前記外部記憶手段に記憶させる画像保存手段であって、前記時情報受付手段で受け付けた時情報を含む付属情報を格納する画像保存手段としてコンピュータを機能させる。【選択図】  図１
2005117145.tif 000002
【特許請求の範囲】
【請求項１】
原稿を読み取ってディジタル画像を作成する画像読み取り装置からディジタル画像を入力する画像入力手段と、
前記画像入力手段から入力されたディジタル画像を外部記憶手段に記憶させる前に任意の時を表す時情報の入力を受け付ける時情報受付手段と、
当該ディジタル画像と付属情報とをファイルに格納して前記外部記憶手段に記憶させる画像保存手段であって、前記時情報受付手段で受け付けた時情報を含む付属情報を格納する画像保存手段としてコンピュータを機能させることを特徴とする画像保存プログラム。
【請求項２】
前記画像保存手段は、前記時情報受付手段で受け付けた時情報を、当該ファイルを作成した時を表すファイル作成時情報として付属情報に含めることを特徴とする請求項１に画像保存プログラム。
【請求項３】
前記時情報受付手段は、当該ディジタル画像を表示手段に表示させることを特徴とする請求項１又は２に記載の画像保存プログラム。
【請求項４】
前記時情報受付手段は、前記画像入力手段から入力された複数のディジタル画像について同一の時情報を一括して入力可能であることを特徴とする請求項１、２又は３に記載の画像保存プログラム。
【請求項５】
前記画像保存手段は前記時情報に応じたフォルダに当該ファイルを記憶させることを特徴とする請求項１〜４のいずれか一項に記載の画像保存プログラム。
【請求項６】
原稿を読み取ってディジタル画像を作成する画像読み取り装置からディジタル画像を入力する画像入力手段と、
外部記憶手段と、
前記画像入力手段から入力されたディジタル画像を前記外部記憶手段に記憶させる前に任意の時を表す時情報の入力を受け付ける時情報受付手段と、
当該ディジタル画像と付属情報とをファイルに格納して前記外部記憶手段に記憶させる画像保存手段であって、前記時情報受付手段で受け付けた時情報を含む付属情報を格納する画像保存手段と、
を備えることを特徴とする画像保存装置。
【請求項７】
表示手段と、
前記外部記憶手段に記憶されているファイルを各ファイルに格納されている時情報の順でソートして前記表示手段に表示するソート手段と、
を更に備えることを特徴とする請求項６に記載の画像保存装置。
【請求項８】
原稿を読み取ってディジタル画像を作成する画像読み取り装置からディジタル画像を入力する画像入力段階と、
前記画像入力段階で入力されたディジタル画像を外部記憶手段に記憶させる前に任意の時を表す時情報の入力を受け付ける時情報受付段階と、
当該ディジタル画像と付属情報とをファイルに格納して前記外部記憶手段に記憶させる画像保存段階であって、前記時情報受付段階で受け付けた時情報を含む付属情報を格納する画像保存段階と、
を含むことを特徴とする画像保存方法。
【発明の詳細な説明】
【技術分野】
【０００１】
本発明は、画像保存プログラム、画像保存装置及び画像保存方法に関する。
【背景技術】
【０００２】
銀塩カメラで撮影した写真、フィルム、ワードプロセッサで作成した書類などの原稿をイメージスキャナ等の画像読み取り装置で読み取ってパーソナルコンピュータに出力し、出力されたディジタル画像をパーソナルコンピュータ側でファイルに格納してハードディスクなどの外部記憶装置に保存することが一般に行われている。
【０００３】
パーソナルコンピュータなどで一般に利用されている多くのファイル操作プログラムは、ファイルの付属情報に含まれているファイル作成時でファイルをソートすることが可能である。ここでファイル作成時とは、当該ファイルが作成された年月日あるいは年月日及び時刻などのことをいう。ユーザは外部記憶装置に記憶されているファイルを活用したいとき、ファイル操作プログラムを利用することによってファイルをファイル作成時の順で時系列に並べて整理して表示させることができ、目的のファイルを容易に探し出すことができる。従ってファイルを容易に活用できる。
【発明の開示】
【発明が解決しようとする課題】
【０００４】
しかしながら、ファイル作成時でソートすることによって目的のファイルを探し出すことが容易になるのは、原稿を作成した時とファイル作成時とが一致しているときに限られる。画像読み取り装置で原稿を読み取る場合、原稿を作成した時（原稿作成時）と読み取る時とは異なることがほとんどである。従って原稿作成時とその原稿を読み取って作成したディジタル画像を格納しているファイル（以下「原稿を読み取って作成したファイル」という）のファイル作成時とは一致しないことが多い。前述したように一般に利用されている多くのファイル操作プログラムはファイルをファイル作成時の順で並べるため、原稿作成時とファイル作成時とが一致していないと原稿作成時の順では並ばない。一般に人は原稿を読み取った時よりも原稿を作成した時のことの方をよく記憶しているため、原稿作成時の順で並ばないと目的のファイルを探し出すことが困難である。すなわち、原稿を読み取って作成したファイルは原稿作成時とファイル作成時とが一致しないためファイルの活用が困難であるという問題がある。例えばディジタルカメラの場合は撮影した時とファイル作成時とが一致する。撮影した時をディジタルカメラで作成したファイルの原稿作成時とした場合、ディジタルカメラで作成したファイルと原稿を読み取って作成したファイルとが混ざってしまうと、原稿作成時に相当する位置に並ぶファイルと原稿作成時ではない位置に並ぶファイルとが混在し、ファイルが大量にあると目的のファイルを探し出すことが大変な作業になってしまう。
【０００５】
ファイル作成時を変更するためのプログラムも知られている。しかしながら、こうしたプログラムを使用した場合でも、例えば原稿を読み取ってから時間が経過しているといつ作成した原稿であるかわからなくなるため、原稿を探し出して作成した時を確かめる作業を行ってから変更する必要がある。しかしながらファイルの数が多いと一つ一つについて作業を行うことはほぼ不可能であり、活用が困難なままの状態となってしまう。また、原稿が見つからなかったり見つかっても原稿に原稿作成時を示す情報が残されていなかったりすると、おぼろげな記憶を頼りに不正確な時を入力することになる。この場合もファイルは正しい原稿作成時の順では並ばないため、依然として活用が困難である。
【０００６】
本発明は、かかる問題に鑑みて創作されたものであって、原稿を読み取って作成したディジタル画像を格納したファイルの活用を容易にする画像保存プログラム、画像保存装置及び画像保存方法を提供することを目的とする。
【課題を解決するための手段】
【０００７】
上記目的を達成するため、本発明に係る画像保存プログラムは、原稿を読み取ってディジタル画像を作成する画像読み取り装置からディジタル画像を入力する画像入力手段と、前記画像入力手段から入力されたディジタル画像を外部記憶手段に記憶させる前に任意の時を表す時情報の入力を受け付ける時情報受付手段と、当該ディジタル画像をファイルに格納して前記外部記憶手段に記憶させる画像保存手段であって、前記時情報受付手段で受け付けた時情報を前記ファイルに付属情報として格納する画像保存手段としてコンピュータを機能させることを特徴とする。この画像保存プログラムによると、付属情報に任意の時情報を格納できるため、時情報でソートしたときにファイルが意図する順で並ぶように時情報を入力することにより、ファイルを任意の順で並べることが可能になる。このため、原稿を作成した時を表す任意の原稿作成時情報を時情報として入力することにより、ファイルを作成した時の順ではなく、任意の原稿作成時情報の順で並べることが可能になる。また、ディジタル画像が外部記憶手段に記憶される前に時情報を入力するため、ファイルを大量に記憶させる場合であっても記憶させる際に一つ一つのファイルに時情報が確実に格納される。また、原稿を読み取るときに時情報を入力するため、記憶もより確かであり間違いが起き難い上、ユーザの意識が読み取り対象の原稿に向いているため別の原稿の時情報を誤って入力してしまうような間違いが起き難い。従ってより正確な時情報を確実に格納できる。よってこの画像保存プログラムによると、原稿を読み取って作成したディジタル画像を格納したファイルの活用が容易になる。
【０００８】
さらに本発明に係る画像保存プログラムでは、前記画像保存手段は、前記時情報受付手段で受け付けた時情報を、当該ファイルを作成した時を表すファイル作成時情報として付属情報に含めることを特徴とする。一般に利用されている多くのファイル操作プログラムはファイルの付属情報に含まれているファイル作成時情報でファイルをソートすることが可能であるため、時情報をファイル作成時情報として含めることにより、一般に利用されている多くのファイル操作プログラムを用いてファイルを時情報の順でソートすることができる。
【０００９】
さらに本発明に係る画像保存プログラムでは、前記時情報受付手段は、当該ディジタル画像を表示手段に表示させることを特徴とする。この画像保存プログラムによると、表示手段にディジタル画像を表示させるため時情報を入力する際に当該時情報が格納されるファイルに格納されるべきディジタル画像であるか否かを視認でき、別のファイルに格納すべき原稿作成時情報を入力してしまう誤りを低減できる。
【００１０】
さらに本発明に係る画像保存プログラムでは、前記時情報受付手段は、前記画像入力手段から入力された複数のディジタル画像について同一の時情報を一括して入力可能であることを特徴とする。この画像保存プログラムによると、複数のディジタル画像について一括して同一の時情報を入力できるので、時情報を効率よく入力できる。
【００１１】
さらに本発明に係る画像保存プログラムでは、前記画像保存手段は前記原稿作成時情報に応じたフォルダに当該ファイルを記憶させることを特徴とする。ファイルが原稿作成時情報に応じたフォルダに記憶されると目的のファイルを探し出すことが更に容易になる。従って原稿を読み取って作成したディジタル画像を格納したファイルの活用が更に容易になる。
【００１２】
上記目的を達成するため、本発明に係る画像保存装置は、原稿を読み取ってディジタル画像を作成する画像読み取り装置からディジタル画像を入力する画像入力手段と、外部記憶手段と、前記画像入力手段から入力されたディジタル画像を前記外部記憶手段に記憶させる前に任意の時を表す時情報の入力を受け付ける時情報受付手段と、当該ディジタル画像と付属情報とをファイルに格納して前記外部記憶手段に記憶させる画像保存手段であって、前記時情報受付手段で受け付けた時情報を含む付属情報を格納する画像保存手段と、を備えることを特徴とする。この画像保存装置によると、原稿を読み取って作成したディジタル画像を格納したファイルの活用が容易になる。
【００１３】
上記目的を達成するため、本発明に係る画像保存方法は、原稿を読み取ってディジタル画像を作成する画像読み取り装置からディジタル画像を入力する画像入力段階と、前記画像入力段階で入力されたディジタル画像を外部記憶手段に記憶させる前に任意の時を表す時情報の入力を受け付ける時情報受付段階と、当該ディジタル画像と付属情報とをファイルに格納して前記外部記憶手段に記憶させる画像保存段階であって、前記時情報受付段階で受け付けた時情報を含む付属情報を格納する画像保存段階と、を含むことを特徴とする。この画像保存方法によると、原稿を読み取って作成したディジタル画像を格納したファイルの活用が容易になる。
【００１４】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明はプログラムの発明として特定できるだけでなく、そのプログラムを記録した記録媒体の発明としても、装置の発明としても、方法の発明としても特定することができる。
【発明を実施するための最良の形態】
【００１５】
以下、本発明を実施するための最良の形態を実施例に基づいて説明する。
図２は、本発明の一実施例に係る画像保存装置としてのパーソナルコンピュータ（ＰＣ）１のハードウェア構成を示すブロック図である。ＰＣ１は、ＣＰＵ１１、ＲＯＭ１２、ＲＡＭ１３、操作部１４、表示部１５、外部記憶部１６、及びデバイスＩ／Ｆ１８を備え、これらはバス１９で相互に接続されている。ＣＰＵ１１はＲＯＭ１２や外部記憶部１６に記憶されているプログラムを実行してＰＣ１の全体を制御する。また、ＣＰＵ１１は外部記憶部１６に記憶されている画像保存プログラムを実行することで画像入力手段、時情報受付手段、画像保存手段及びソート手段としても機能する。ＲＯＭ１２は各種のプログラムやデータを予め記憶しているメモリであり、ＲＡＭ１３は各種のプログラムやデータを一時的に記憶するメモリである。操作部１４はマウスやキーボードなどで構成され、時情報受付手段として用いられる。表示部１５はＣＲＴやＬＣＤなどのディスプレイやディスプレイコントローラなどで構成され、時情報受付手段及び表示手段として用いられる。外部記憶手段としての外部記憶部１６はハードディスクやハードディスクコントローラなどで構成され、オペレーティングシステム（ＯＳ）、画像保存プログラム、デバイスＩ／Ｆ１８を制御するためのドライバプログラム、画像読み取り装置を制御するためのドライバプログラム、各種のファイルなどを記憶する。これら各種のプログラムやデータは所定のサーバからネットワークを介してダウンロードして入力してもよいし、リムーバブルメモリ等のコンピュータ読み取り可能な記憶媒体から読み出して入力してもよい。画像入力手段としてのデバイスＩ／Ｆ１８はＲＳ−２３２ＣやＵＳＢなどの通信規格に準拠して構成され、画像読み取り装置としてのイメージスキャナ２に所定の接続ケーブルで接続されている。
【００１６】
尚、本実施例では画像読み取り装置としてイメージスキャナ２を例に説明するが、画像読み取り装置はディジタルスチルカメラやディジタルビデオカメラなどであってもよい。例えばディジタルスチルカメラの場合であれば、作成した原稿をディジタルスチルカメラで撮影してディジタル画像を作成し、作成したディジタル画像をＰＣ１に入力することになる。また、画像読み取り装置と画像保存装置とを一体に構成してもよい。例えばディジタルカメラで画像保存プログラムを実行することにより画像読み取り装置と画像保存装置とを一体にすることができる。また、本実施例では接続ケーブルを介してイメージスキャナ２からディジタル画像を入力する場合を例に説明するが、ディジタル画像をリムーバブルメモリに保存可能なイメージスキャナ２であればリムーバブルメモリを介して入力するようにしてもよい。
【００１７】
次に、画像保存プログラムについて説明する。
図３は、画像保存プログラムの論理的な構成を示すブロック図である。画像保存プログラムは、原稿作成時入力モジュール２１、画像入力モジュール２２、画像保存モジュール２３、及びファイル表示モジュール２４を備える。原稿作成時入力モジュール２１は日付設定ウィンドウ３０（図４参照）を表示部１５に表示させて時情報として原稿作成時情報の入力を受け付けるためのモジュールである。画像入力モジュール２２はデバイスＩ／Ｆ１８を制御するためのドライバプログラムや画像読み取り装置を制御するためのドライバプログラムを制御してイメージスキャナ２からディジタル画像を入力するためのモジュールである。画像保存モジュール２３は入力されたディジタル画像と当該ファイルを作成した時を表すファイル作成時情報を含む付属情報とをファイルに格納して外部記憶部１６に記憶させるためのモジュールであって、原稿作成時入力モジュール２１で入力された原稿作成時情報をファイル作成時情報として格納して保存するモジュールである。ファイル表示モジュール２４は原稿作成時情報に応じたフォルダに格納されているファイルをファイル作成時の順でソートして一覧表示するためのモジュールである。
【００１８】
次に、日付設定ウィンドウ３０について説明する。
図４は、日付設定ウィンドウ３０を示す模式図である。日付設定ウィンドウ３０は原稿作成時入力モジュール２１によって表示されるウィンドウであり、複数のディジタル画像を縮小表示する画像表示領域３１、ファイル名が入力されるファイル名入力フィールド３２、原稿作成時情報が入力される原稿作成時入力フィールド３３、カラーモードを指定するためのモード指定フィールド３４、画像の縦横のピクセル数を指定するための画像サイズ指定フィールド３５、ディジタル画像の総バイト数を表示するバイト数表示フィールド３６、イメージスキャナ２に読み取りの指示を入力するための［スキャン］ボタン３７、選択されている画像をファイルに格納して外部記憶部１６に保存する指示を入力するための［保存］ボタン３８などを備える。［スキャン］ボタン３７をクリックすると画像入力モジュール２２が呼び出されてイメージスキャナ２で原稿の読み取りが実行され、作成されたディジタル画像が画像表示領域３１に縮小表示される。画像表示領域３１にディジタル画像を表示するとユーザは原稿作成時を入力する際に当該原稿作成時が格納されるファイルに格納されるべきディジタル画像であるか否かを視認できるため、別のファイルに格納すべき原稿作成時を誤って入力してしまうような間違いを低減できる。原稿を交換しながら［スキャン］ボタン３７をクリックする操作を繰り返すと、クリックする度に当該原稿を読み取って作成されたディジタル画像が画像表示領域３１に順に追加表示される。原稿作成時情報を入力する場合、ユーザはマウスでチェックボックス３１ａのチェックをＯＮにして原稿作成時の入力対象とするディジタル画像を選択する。複数のディジタル画像が表示されている場合であってそれら複数のディジタル画像の原稿作成時が同一である場合、ユーザは原稿作成時が同一のディジタル画像のチェックボックス３１ａをＯＮにして原稿作成時を入力することにより、それら複数のディジタル画像に対して原稿作成時を一括して入力することができる。これにより原稿作成時の入力の手間を低減できるため、原稿作成時情報の入力効率が向上する。［保存］ボタン３８がクリックされると画像保存モジュール２３が呼び出され、チェックボックス３１ａがＯＮにされているディジタル画像がそれぞれ独立したファイルに格納されて外部記憶部１６に記憶される。
【００１９】
次に、ファイル構造について説明する。
図５は、ディジタル画像が格納されるファイルのファイル構造を示す模式図である。ファイルにはデータ領域及び付属情報領域が含まれている。データ領域は例えばディジタル画像などのデータが格納される領域であり、例えばディジタル画像であればＪｅｐｇ形式などの所定のデータ形式で格納される。付属情報領域は当該ファイルについての付属情報が格納される領域である。付属情報には具体的には例えば当該ファイルを作成した時を表すファイル作成時情報、更新した時を表すファイル更新時情報、ファイルの更新可否を表す更新属性などの情報が含まれる。
【００２０】
次に、ＰＣ１により実行される処理の流れについて説明する。
図１は、ＰＣ１により実行される処理の流れを示すシーケンス図である。
Ｓ１０５では、表示部１５に日付設定ウィンドウ３０を表示する。
Ｓ１１０では、ユーザはイメージスキャナ２に原稿をセットし、［スキャン］ボタン３７をクリックしてＰＣ１に対して原稿の読み取りを指示する。
【００２１】
Ｓ１１５〜Ｓ１２５では、イメージスキャナ２からディジタル画像を入力する。具体的には、ＰＣ１はデバイスＩ／Ｆ１８を介してイメージスキャナ２に読み取りを指示し、イメージスキャナ２は原稿を所定ライン数分読み取る毎に当該ライン数分のディジタル画像を作成してＰＣ１に出力する。これを全ラインの読み取りが完了するまで繰り返す。これによりイメージスキャナ２からＰＣ１にディジタル画像が入力される。
【００２２】
Ｓ１３０では、入力されたディジタル画像を画像表示領域３１に縮小表示する。本実施例の画像表示領域３１は画像表示枠を９個備えているため、ユーザは［スキャン］ボタン３７を最大９回まで繰り返しクリックすることができる。ＰＣ１及びイメージスキャナ２は、［スキャン］ボタン３７がクリックされる毎にＳ１１５〜Ｓ１３０までの処理を繰り返す。従ってユーザは原稿を交換しながら［スキャン］ボタン３７を実行することによって互いに異なる９画像を画像表示領域３１に同時に表示させることができる。
【００２３】
Ｓ１３５では、ユーザは原稿を作成した時を表す原稿作成時情報を入力する。具体的には、ユーザは画像表示領域３１に縮小表示されているディジタル画像を一つ以上選択し、キーボードから日付入力フィールドに当該ディジタル画像の原稿を作成した時を表す任意の時情報を入力する。
Ｓ１４０では、ユーザは［保存］ボタン３８をクリックして選択したディジタル画像の保存を指示する。
【００２４】
Ｓ１４５では、入力された原稿作成時情報に応じたフォルダを作成する。具体的には、ＰＣ１は原稿作成時情報に応じたフォルダが外部記憶部１６の所定のフォルダに直属又は従属して存在しているか否かを判定し、存在していれば次のステップに進み、存在していなければ原稿作成時情報に応じたフォルダを外部記憶部１６の所定のフォルダに直属又は従属して作成する。Ｓ１４５の処理の詳細については後述する。尚、日付設定ウィンドウ３０を表示する前に所定のフォルダを指定するためのウィンドウを表示し、ユーザが指定したフォルダを所定のフォルダとするようにしてもよい。
【００２５】
Ｓ１５０では、原稿作成時情報に応じたフォルダの直下にファイル名入力フィールド３２に入力されたファイル名のファイルを作成する。すなわち原稿作成時情報に応じたフォルダに記憶させる。ファイルが原稿作成時情報に応じたフォルダに記憶されると目的のファイルを探し出すことが更に容易になるため、当該ファイルの活用が更に容易になる。尚、複数のディジタル画像が選択されている場合はファイル名が重複しないよう入力されたファイル名に枝番を振って作成するものとする。
【００２６】
Ｓ１５５では、入力されたディジタル画像に対してモード指定フィールド３４で指定されたカラーモードに変換する処理や画像サイズ指定フィールド３５で指定されたサイズに拡大／縮小する処理を施し、Ｓ１５０で作成したファイルに格納する。
Ｓ１６０では、Ｓ１５０で作成したファイルのファイル作成時情報にＳ１３５で入力された原稿作成時情報を格納する。例えばこの処理を実行した日の日付が２００３年１０月１４日であったとしても、入力された原稿作成時情報が２００３年７月１０日であれば、当該ファイルのファイル作成時には２００３年７月１０日が格納される。この結果、ファイルをファイル作成時の順にソートして表示した場合、当該ファイルは原稿作成時に相当する位置に並べられることになる。このように原稿作成時情報をファイル作成時情報として格納すると、一般に利用されている多くのファイル操作プログラムを用いてファイルを原稿作成時情報の順でソートすることができる。
【００２７】
Ｓ１６５では、ファイル表示モジュール２４を実行し、原稿作成時情報に応じたフォルダに格納されている全てのファイルを一覧表示する。
図６は、ファイル表示モジュール２４によってファイル作成時で降順にソートした例を示す模式図である。尚、図６では、理解を容易にするため、原稿作成時情報が異なる複数のファイルが同一のフォルダに格納されている場合を例に示している。原稿作成時情報に応じたフォルダに格納されているファイルを一覧表示する場合は表示されるファイルの原稿作成時情報は年月日が全て一致することになる。各ファイル名に続く括弧内の日付は、最初の日付が原稿作成時情報、後の日付が読み取った時を意味している。また、ファイル名に付けた数字はそのファイルが作成された順番を意味している。原稿作成時情報をファイル作成時情報として格納すると、ファイル作成時情報でソートしたとき、図示するように読み取った時が遅くても原稿作成時が先であればその原稿を読み取って作成したファイルは下に表示され、読み取った時が早くても原稿作成時が遅ければその原稿を読み取って作成したファイルは上に表示される。尚、ファイル名を表示するのではなく当該ファイルに格納されているディジタル画像を縮小表示するようにしてもよいし、ファイル名と縮小画像とを表示するようにしてもよい。また、後述するＥＸＩＦファイルの場合は、原稿作成時情報でソートするかファイル作成時情報でソートするかを選択できるようにしてもよい。
【００２８】
次に、Ｓ１４５の処理の一例について説明する。
図７は、外部記憶部１６のフォルダ構造の一部を示す模式図である。例えば所定のフォルダが「画像」フォルダであり、原稿作成時情報として”２００３．０７．１０”が入力されたとする。ここで”２００３”は年、”０７”は月、”１０”は日である。この場合、ＰＣ１は始めに「２００３．０７」という名前のフォルダが「画像」フォルダに直属して存在しているか否かを判定する。図７に示す例の場合であれば「２００３．０７」という名前のフォルダが直属して存在している。存在している場合、ＰＣ１は次に「１０」という名前のフォルダが「２００３．０７」フォルダに直属して存在しているか否かを判定する。図７に示す例の場合であれば「１０」という名前のフォルダが直属して存在している。存在している場合、ＰＣ１は「ルート」￥「画像」￥「２００３．０７」￥「１０」で特定されるフォルダを原稿作成時情報に応じたフォルダとする。また例えば、原稿作成時情報として”２００３．０９．２３”が入力されたとする。図７に示す例の場合であれば「２００３．０９」という名前のフォルダは「画像」フォルダの下に存在していない。この場合、ＰＣ１は「２００３．０９」という名前のフォルダを「画像」フォルダに直属させて作成する。次に、「２３」という名前のフォルダを「２００３．０９」フォルダに直属させて作成し、「ルート」￥「画像」￥「２００３．０９」￥「２３」で特定されるフォルダを原稿作成時情報に応じたフォルダとする。尚、ここでは日単位でファイルを整理する場合を例に説明したが、月単位で整理するようにしてもよいし、必要であれば時間単位に更に細かく整理するようにしてもよい。
【００２９】
以上説明した本発明の一実施例に係る画像保存プログラムによると、原稿作成時情報を時情報として入力することにより、ファイル作成時情報の順ではなく原稿作成時情報の順で並べることができる。また、この画像保存プログラムによると、ディジタル画像がファイルに格納されて外部記憶部１６に記憶される前に原稿作成時情報を入力する。具体的にはＳ１５０でファイルを作成する前にＳ１３５で原稿作成時情報を入力する。このためファイルが大量にあったとしても作成の際に一つ一つのファイルに原稿作成時情報がファイル作成時情報として確実に格納される。また、原稿を読み取るときに原稿作成時情報を入力するため記憶もより確かであり間違いが起き難い。更に、原稿を読み取るときに原稿作成時情報を入力するためユーザの意識が読み取り対象の原稿に向いている上、手元に原稿があるため別の原稿の原稿作成時情報を誤って入力してしまうような間違いが起き難い。従ってより正確な原稿作成時情報を確実に格納できる。この結果、ユーザは図６に示すようにファイルをファイル作成時でソートすることによって原稿作成時の順で時系列に整理することができる。よってこの画像保存プログラムによると、原稿を読み取って作成したディジタル画像を格納したファイルの活用が容易になる。
【００３０】
尚、本実施例では原稿作成時情報をファイル作成時情報として格納する場合を例に説明したが、付属情報にファイル作成時情報とは別に原稿作成時情報を含むことのできる形式のファイルであれば、ファイル作成時情報とは別にして格納するようにしてもよい。例えばディジタルカメラで作成したディジタル画像を格納するファイル形式としてＥＸＩＦ形式が知られている。ＥＸＩＦ形式のファイルには付属情報に原稿作成時情報が含まれているため、入力された時情報を原稿作成時情報として格納してもよい。一般のディジタルカメラはＥＸＩＦファイルを作成したときデフォルトとして原稿作成時情報にファイル作成時情報を格納する。従って、ファイルが作成された直後のファイル作成時情報と原稿作成時情報とが一致する。このためファイルを作成した後に原稿作成時情報を変更する必要がある。本発明をＥＸＩＦ形式のファイルに適用した場合、ＥＸＩＦファイルを作成する前に原稿作成時情報を入力できるため、ファイルを作成した後に変更する必要がなく、ファイルを確実に整理することができる。尚、ＥＸＩＦ形式のファイルであっても入力された原稿作成時情報をファイル作成時情報として格納するようにしてもよい。
【図面の簡単な説明】
【００３１】
【図１】本発明の一実施例に係る画像保存装置のシーケンス図。
【図２】本発明の一実施例に係る画像保存装置のブロック図。
【図３】本発明の一実施例に係る画像保存プログラムのブロック図。
【図４】本発明の一実施例に係るウィンドウを示す模式図。
【図５】本発明の一実施例に係るファイル構造を示す模式図。
【図６】本発明の一実施例に係るファイルを整理した例を示す模式図。
【図７】本発明の一実施例に係る外部記憶部の模式図。
【符号の説明】
【００３２】
１  パーソナルコンピュータ（画像保存装置）、２  イメージスキャナ（画像読み取り装置）、１１  ＣＰＵ（画像入力手段、時情報受付手段、画像保存手段、ソート手段）、１４  操作部（時情報受付手段）、１５  表示部（時情報受付手段、表示手段）、１６  外部記憶部（外部記憶手段）、１８  デバイスＩ／Ｆ（画像入力手段）
【図１】
2005117145.tif 000003
【図２】
2005117145.tif 000004
【図３】
2005117145.tif 000005
【図４】
2005117145.tif 000006
【図５】
2005117145.tif 000007
【図６】
2005117145.tif 000008
【図７】
2005117145.tif 000009